(57)【要約】【課題】容易に解体できる紙容器及びその解体方法を提供する。【解決手段】傾斜屋根部３０が天井側面板３２、３４を二つ折りして剥離剤６９を介して接着した第１接着部３６、３７と、天井前面板３３と天井背面板３１を接着した第２接着部３８と、天井側面板３２、３４と天井前面板３３を接着した第３接着部３９、４０と、天井側面板３２、３４と天井背面板３１を接着した第４接着部４１、４２とを有する。各板の上端部のバリア層７２ｂと紙基材層６２の間には剥離層７１が設けられる。紙容器１は第２接着部３８において、突出部３１ｂ、３３ｂには中間層７２の内端面と紙基材層６２の厚さ方向の中間とを両端とする多数の傷Ｄが形成されている。【選択図】図７
2017202871.tif 000002
【特許請求の範囲】
【請求項１】
外面側から順に、熱可塑性を有する外面接着層、紙製の紙基材層、ガスバリア性を有するバリア層を一面に配したバリア基材層を有する中間層と、熱可塑性を有する内面接着層を積層したブランク板から構成され、断面矩形の筒状の胴部と、前記胴部の天面を塞ぐ傾斜屋根部と、前記胴部の底面を塞ぐ底面部とを備えたゲーベルトップ型の紙容器において、
前記傾斜屋根部が、傾斜して前後に対向する天井前面板及び天井背面板と、前記天井前面板と前記天井背面板とを連結する左右一対の天井側面板と、前記天井側面板の上端部を二つ折りして前記外面接着層により接着した第１接着部と、前記天井側面板よりも上方に突出して前記天井前面板及び前記天井背面板にそれぞれ設けた一対の突出部を前記内面接着層により互いに接着した第２接着部と、前記天井側面板及び前記天井前面板の上端部を前記内面接着層により互いに接着した第３接着部と、前記天井側面板及び前記天井背面板の上端部を前記内面接着層により互いに接着した第４接着部と、を有し、
前記第２接着部において、前記突出部には前記中間層の内端面と前記紙基材層の厚さ方向の中間とを両端とする多数の傷が形成されていることを特徴とする紙容器。
【請求項２】
前記第３接着部の上端部において、前記天井側面板及び前記天井前面板には前記傷が多数形成され、前記第４接着部の上端部において、前記天井側面板及び前記天井背面板には前記傷が多数形成されていることを特徴とする請求項１に記載の紙容器。
【請求項３】
前記天井側面板の上端部の前記外面接着層上の所定領域に前記外面接着層の接着強度を低下させる剥離剤を配したことを特徴とする請求項１に記載の紙容器。
【発明の詳細な説明】
【技術分野】
【０００１】
本発明は、注出部材を備えたゲーベルトップ型の紙容器に関する。
【背景技術】
【０００２】
酒類、飲料類等の包装に使用される従来のゲーベルトップ型の紙容器は特許文献１に開示されている。この紙容器は紙基材層の外面に外面接着層を積層し、内面にバリア層及び内面接着層を順に積層したブランク板を折曲して形成される。バリア層は内容物の酸化劣化や味覚低下を防止するため、アルミニウム箔、アルミニウム蒸着膜、無機酸化物蒸着膜等により形成される。
【０００３】
また、紙容器は筒状の胴部の上下面をそれぞれ傾斜屋根部及び底面部により塞がれる。傾斜屋根部には注出口を形成する樹脂成形品の注出部材が取り付けられる。
【０００４】
近年、環境問題の高まりから使用後の空容器の廃棄に際し、空容器を解体して構成部材の種類毎の分別や減容化を行なってリサイクルされるようになっている。上記の紙容器は、傾斜屋根部の上端部が液体内容物の漏れを防止するために強固に熱接着されている。このため、紙容器の解体時に注出口からハサミを入れて紙容器を切り開き、リサイクルされる。
【先行技術文献】
【特許文献】
【０００５】
【特許文献１】特開平０９−２２６７５２号公報（第２頁−第４頁、第２図）
【発明の概要】
【発明が解決しようとする課題】
【０００６】
しかしながら、上記従来のゲーベルトップ型の紙容器によると、注出口を形成する注出部材が樹脂により形成されるためハサミによる切断が困難であった。このため紙容器を容易に解体することができず、紙容器のリサイクル性が悪い問題があった。
【０００７】
本発明は、リサイクル性を向上できる紙容器を提供することを目的とする。
【課題を解決するための手段】
【０００８】
上記目的を達成するために本発明は、  外面側から順に、熱可塑性を有する外面接着層、紙製の紙基材層、ガスバリア性を有するバリア層を一面に配したバリア基材層を有する中間層と、熱可塑性を有する内面接着層を積層したブランク板から構成され、断面矩形の筒状の胴部と、前記胴部の天面を塞ぐ傾斜屋根部と、前記胴部の底面を塞ぐ底面部とを備えたゲーベルトップ型の紙容器において、
前記傾斜屋根部が、傾斜して前後に対向する天井前面板及び天井背面板と、前記天井前面板と前記天井背面板とを連結する左右一対の天井側面板と、前記天井側面板の上端部を二つ折りして前記外面接着層により接着した第１接着部と、前記天井側面板よりも上方に突出して前記天井前面板及び前記天井背面板にそれぞれ設けた一対の突出部を前記内面接着層により互いに接着した第２接着部と、前記天井側面板及び前記天井前面板の上端部を前記内面接着層により互いに接着した第３接着部と、前記天井側面板及び前記天井背面板の上端部を前記内面接着層により互いに接着した第４接着部と、を有し、
前記第２接着部において、前記突出部には前記中間層の内端面と前記紙基材層の厚さ方向の中間とを両端とする多数の傷が形成されていることを特徴としている。
【０００９】
この構成によると、中間層を貫通する傷によって第２接着部の開封強度が低下する。
【００１０】
また本発明は上記構成の紙容器であって、前記第３接着部の上端部において、前記天井側面板及び前記天井前面板には前記傷が多数形成され、前記第４接着部の上端部において、前記天井側面板及び前記天井背面板には前記傷が多数形成されていることを特徴としている。この構成によると、第３接着部及び第４接着部の上端部において、開封強度が低下する。
【００１１】
また本発明は上記構成の紙容器であって、前記天井側面板の上端部の前記外面接着層上の所定領域に前記外面接着層の接着強度を低下させる剥離剤を配したことを特徴としている。
【発明の効果】
【００１２】
本発明によると、注出部材を備えたゲーベルトップ型の紙容器を容易に切り開いて解体することができる。従って、紙容器のリサイクル性を向上することができる。
【図面の簡単な説明】
【００１３】
【図１】本発明の第１実施形態の紙容器を正面側から見た斜視図
【図２】本発明の第１実施形態の紙容器を背面側から見た斜視図
【図３】本発明の第１実施形態の紙容器の上端部の側面断面図
【図４】本発明の第１実施形態の紙容器の上端部の上面断面図
【図５】本発明の第１実施形態の紙容器のブランク板を示す展開図
【図６】本発明の第１実施形態の紙容器の傷痕群領域の一部を拡大して示す平面図である。
【図７】本発明の第１実施形態の紙容器のブランク板の層構成を示す断面図
【図８】本発明の第１実施形態の紙容器の第１剥離工程後の状態を示す斜視図
【図９】本発明の第１実施形態の紙容器の第２剥離工程後の状態を示す斜視図
【図１０】本発明の第１実施形態の紙容器の横切断工程後の状態を示す平面図
【図１１】本発明の第２実施形態の紙容器のブランク板を示す展開図
【図１２】本発明の第３実施形態の紙容器のブランク板を示す展開図
【発明を実施するための形態】
【００１４】
＜第１実施形態＞
以下に図面を参照して本発明の第１実施形態を説明する。図１及び図２は第１実施形態の紙容器の正面側から見た斜視図及び背面側から見た斜視図である。紙容器１はゲーベルトップ型に構成され、酒類（日本酒、ワイン、焼酎等）、飲料類（コーヒー、乳飲料、ジュース、お茶等）、調味料（ドレッシング等）または衛生用品（シャンプー、リンス等）等の液状の内容物が充填される。
【００１５】
紙容器１は本体部２と注出部材３とを備えている。本体部２は紙基材層６２（図７参照）を有するブランク板１００（図５参照）を箱形状に折曲して形成される。注出部材３は樹脂成形品から成り、内容物の注出口を形成してキャップ３ａにより開閉される。
【００１６】
本体部２は筒状の胴部１０の底面が底面部２０により塞がれ、胴部１０の天面が傾斜屋根部３０により塞がれる。胴部１０は対向する前面板１３と背面板１１の両側端を左右一対の側面板１２、１４により連結した水平断面矩形に形成される。背面板１１、側面板１２、前面板１３及び側面板１４は水平方向に順に連設され、胴部１０の周面を形成する周面板を構成する。
【００１７】
傾斜屋根部３０は傾斜して対向する天井前面板３３と天井背面板３１の両側端を左右一対の天井側面板３２、３４により連結して形成される。天井前面板３３は前面板１３の上方に連設され、後方に傾斜する。天井背面板３１は背面板１１の上方に連設され、前方に傾斜する。天井側面板３２及び天井側面板３４はそれぞれ側面板１２及び側面板１４の上方に連設され、内側に向かって傾斜して天井前面板３３と天井背面板３１との間に配される。
【００１８】
傾斜屋根部３０は上端から所定幅で熱接着された頂部接着部Ｈにより閉塞されている。また、天井前面板３３、天井背面板３１及び天井側面板３２、３４の上端部には傷痕群領域Ｅが形成され、傾斜屋根部３０の上端を容易に開口することができる。
【００１９】
図３、図４は傾斜屋根部３０の上端部の側面断面図及び上面断面図を示している。尚、図３は天井側面板３２上を通る断面を示している。天井側面板３２及び天井側面板３４の上端部は谷折りにより二つ折りされ、傾斜した天井前面板３３の上端部と天井背面板３１の上端部との間に配される。
【００２０】
頂部接着部Ｈは熱接着部３６〜４２で構成される。また、傷痕群領域Ｅは熱接着部３９〜４２の上端部と熱接着部３８とに形成され、傷痕群領域Ｅの形成領域は傷痕群領域Ｅの非形成領域と比較して開封強度が低下している。
【００２１】
熱接着部３６（第１接着部）は二つ折りした天井側面板３２の上端部を後述する外面接着層６１（図７参照）により熱接着して形成される。熱接着部３７（第１接着部）は二つ折りした天井側面板３４の上端部を外面接着層６１（図７参照）により熱接着して形成される。
【００２２】
天井前面板３３及び天井背面板３１は天井側面板３２、３４よりも上方に突出した突出部３３ｂ、３１ｂを有する。熱接着部３８（第２接着部）は突出部３３ｂ、３１ｂを後述するそれぞれの内面の内面接着層７４（図７参照）により熱接着して形成される。
【００２３】
熱接着部３９（第３接着部）は天井側面板３２及び天井前面板３３の上端部をそれぞれの内面の内面接着層７４（図７参照）により熱接着して形成される。熱接着部４０（第３接着部）は天井側面板３４及び天井前面板３３の上端部をそれぞれの内面の内面接着層７４（図７参照）により熱接着して形成される。
【００２４】
熱接着部４１（第４接着部）は天井側面板３２及び天井背面板３１の上端部をそれぞれの内面の内面接着層７４（図７参照）により熱接着して形成される。熱接着部４２（第４接着部）は天井側面板３４及び天井背面板３１の上端部をそれぞれの内面の内面接着層７４（図７参照）により熱接着して形成される。
【００２５】
図５は紙容器１のブランク板１００の展開図を示している。紙容器１の本体部２を展開したブランク板１００は所定位置に折り線９０が設けられ、矩形の背面板１１、側面板１２、前面板１３、側面板１４、糊代片１５が一方向に順に連設される。
【００２６】
背面板１１の上端には天井背面板３１が連設され、下端には底面板２１が連設される。側面板１２の上端には天井側面板３２が連設され、下端には底面板２２が連設される。前面板１３の上端には天井前面板３３が連設され、下端には底面板２３が連設される。側面板１４の上端には天井側面板３４が連設され、下端には底面板２４が連設される。糊代片１５の上端には糊代片３５が連設され、下端には糊代片２５が連設される。天井前面板３３には注出部材３（図１参照）を取り付ける挿通孔３３ａが設けられる。
【００２７】
天井側面板３２、３４の上端面３２ｄ、３４ｄは両側端から中央に向かって傾斜し、中央部を最上点とした凸面に形成される。天井前面板３３及び天井背面板３１の上端部の突出部３３ｂ、３１ｂは天井側面板３２、３４の上端面３２ｄ、３４ｄの最上点よりも上方に突出する。
【００２８】
詳細を後述するように、天井側面板３２及び天井側面板３４の上端部は二つ折りして外面が熱接着される。この時、天井側面板３２及び天井側面板３４の上端部の外面には一部の領域（図中、ハッチングで示す）に剥離剤６９が塗布される。
【００２９】
また、周方向の一端の天井側面板３４及び側面板１４には糊代片３５、１５に沿って上下方向に延びる切断線５１が印刷層６８（図７参照）により描画される。切断線５１は天井側面板３４の上端から側面板１４の下端部まで形成される。胴部１０の背面板１１、側面板１２、前面板１３及び側面板１４の下端部には水平方向に延びる切断線５２が印刷層６８（図７参照）により描画される。切断線５２は背面板１１、側面板１２、前面板１３及び側面板１４の下端の折り線９０に沿って形成される。
【００３０】
頂部接着部Ｈは傾斜屋根部３０の糊代片３５、天井側面板３４、天井前面板３３、天井側面板３２、及び天井背面板３１の上部の折り線９０と上端面１００ａとの間に水平方向に延びる帯状に形成され、頂部接着部Ｈに上述した熱接着部３６〜４２が形成される。
【００３１】
頂部接着部Ｈには帯状の傷痕群領域Ｅが形成され、傷痕群領域Ｅの下端は頂部接着部Ｈの下端よりも上方に位置する。なお、図５において、ハッチングで示す剥離剤６９が形成された領域も傷痕群領域Ｅが形成されている。
【００３２】
傷痕群領域Ｅの下端は頂部接着部Ｈの下端よりも上方に位置し、天井側面板３２、３４の上端面３２ｄ、３４ｄの最下点である両側端より下方に配されている。傷痕群領域Ｅの下端が頂部接着部Ｈの下端よりも上方に位置することにより、紙容器１の内部に面する頂部接着部Ｈは傷痕群領域Ｅの非形成領域であり、接着強度が保持される。これにより、紙容器１の密封性の低下を防止することができる。
【００３３】
また、傷痕群領域Ｅの下端が天井側面板３２、３４の上端面３２ｄ、３４ｄの両側端のより上方に形成された場合、熱接着部３９〜４１における傷痕群領域Ｅの占める割合が低く、紙容器１の密封性は保持することができるが、開封強度が高く熱接着部３９〜４１を引き剥し難い。
【００３４】
このため、紙容器１の密封性と傾斜屋根部３０の上端の易開口性を考慮して、傷痕群領域Ｅの下端は頂部接着部Ｈの下端と天井側面板３２、３４の上端面３２ｄ、３４ｄの両側端との中間位置に配することがより好ましい。
【００３５】
ブランク板１００は折り線９０で折曲して糊代片１５、糊代片２５及び糊代片３５で熱接着することにより、筒状に形成される。即ち、一端の側面板１４に連設される糊代片１５が他端の背面板１１に熱接着されることによって、周方向に閉じた状態の筒状の胴部１０が形成される。一端の底面板２４に連設される糊代片２５が他端の底面板２１に熱接着されることによって、底面部２０が下端を開放して周方向に閉じた状態に形成される。一端の天井側面板３４に連設される糊代片３５が他端の天井背面板３１に熱接着されることによって、傾斜屋根部３０が上端を開放して周方向に閉じた状態に形成される。
【００３６】
底面部２０は各底面板２１〜２４を折り線９０で折り畳み、熱接着により胴部１０の底面を塞いだ状態で固着される。
【００３７】
傾斜屋根部３０の天井前面板３３には挿通孔３３ａに挿入された注出部材３が挿通孔３３ａの周囲に熱接着される。そして、天井前面板３３、天井背面板３１、天井側面板３２及び天井側面板３４を折り線９０で折曲し、熱接着によって前述の熱接着部３６〜４２が形成される。これにより、傾斜屋根部３０は胴部１０の天面を塞いだ状態で固着される。
【００３８】
図６は傷痕群領域Ｅの一部を拡大して示す平面図であり、図７はブランク板１００の層構成を示す断面図である。傷痕群領域Ｅはブランク板１００に所定間隔で刻設された多数の傷Ｄにより構成される。傷Ｄは微細な突き刺し孔であり、帯状に整列して傷痕群領域Ｅが形成される。
【００３９】
ブランク板１００は外面接着層６１、紙基材層６２、中間層７２、熱可塑性を有する内面接着層７４が順に積層されており、中間層７２と紙基材層６２とは層間接着層６３を介して接着されている。また、中間層７２と内面接着層７４とは層間接着層７３を介して接着されている。また、中間層７２はバリア基材層７２ａの一面にガスバリア性を有するバリア層７２ｂを配して形成される。
【００４０】
傷Ｄは中間層７２の内端面と紙基材層６２の厚さ方向の中間とを両端とし、中間層７２を貫通している。これにより、熱接着された内面接着層７４間の傷痕群領域Ｅの形成領域の開封強度は傷痕群領域Ｅの非形成領域と比較して低下する。
【００４１】
なお、傷Ｄは中間層７２を貫通していれば紙基材層６２に到達していなくても傷痕群領域Ｅにおいて開封強度を低下させることができる。
【００４２】
また、ブランク板１００は傷Ｄが形成された中間層７２の内端面に層間接着層７３を介して内面接着層７４が積層されている。これにより、内容物が内面接着層７４により遮られて傷Ｄを介して紙基材層６２側に浸透するのを防止することができる。
【００４３】
紙基材層６２は紙基材としては２５０〜４５０ｇ／ｍ2 の坪量の板紙が使用される。紙基材層６２の外面には外面接着層６１が積層されている。外面接着層６１は熱可塑性を有する低密度ポリエチレンや直鎖状低密度ポリエチレン等の熱接着可能な樹脂が使用され、押出しラミネーション法により紙基材層６２の上に積層される。外面接着層６１の外面にはグラビア印刷またはオフセット印刷により所定位置に印刷層６８が形成されている。
【００４４】
層間接着層６３は、低密度ポリエチレン、直鎖状低密度ポリエチレン、エチレン−αオレフイン共重合体、アイオノマー、エチレン−アクリル酸共重合体、エチレン−メタクリル酸共重合体、エチレン−アクリル酸エステル共重合体、エチレン−メタクリル酸エステル共重合体等のポリオレフィン系樹脂が用いられ、押出しラミネーション法により紙基材層６２と中間層７２を積層する。層間接着層６３の厚さは、通常、１０〜５０μｍである。
【００４５】
中間層７２は、バリア基材層７２ａとバリア層７２ｂとからなり、バリア基材層７２ａには蒸着加工適性やラミネーション加工適性の観点から加工適性の優れた二軸延伸されたポリエステルフィルム、ナイロンフィルム、ポリプロピレンフィルム等が用いられる。中間層７２の厚さは通常、４〜４０μｍであり、好ましくは９〜２５μｍである。
【００４６】
バリア層７２ｂはバリア基材層７２ａの上面に形成されるアルミニウム等の金属の蒸着膜や、酸化アルミニウム、酸化珪素等の無機酸化物の蒸着膜であり、防湿性、ガスバリア性を備える。これにより、紙容器１に充填される内容物の酸化劣化、味覚低下等を防止し化学的に保護する。なお、バリア層７２ｂはバリア基材層７２ａに対して紙基材層６２側に積層しているが、内面接着層７４側に積層してもよい。
【００４７】
また、バリア層７２ｂにアルミニウム等の金属箔を用いてバリア基材層７２ａとドライラミネーション法や押出しラミネーション法で積層して中間層７２を形成してもよい。この場合、金属箔は紙基材層６２側に積層する方が好ましい。
【００４８】
層間接着層７３は、層間接着層６３と同じ樹脂を用いて押出しラミネーション法により中間層７２と内面接着層７４を積層するためのものであり、その厚さは、通常、１０〜５０μｍである。また、層間接着層７３としてポリエステルポリオール−イソシアネート系、ポリエーテルポリオール−イソシアネート系、ウレタン−イソシアネート系等の主剤と硬化剤とからなる２液タイプのドライラミネート用接着剤を用いてドライラミネーション法により積層することもできる。ドライラミネーション法の場合、層間接着層７３の塗布量は、通常、固形分重量１〜５ｇ／ｍ2 である。
【００４９】
内面接着層７４は、熱可塑性を有する熱接着性樹脂が使用され、低密度ポリエチレン、中密度ポリエチレン、高密度ポリエチレン、直鎖状低密度ポリエチレン等の樹脂を用いたフィルムが使用される。特に環状ポリオレフィン樹脂等を用いた易引裂き性を付与したフィルムを用いることが好ましい。内面接着層７４の厚さは通常２０〜１００μｍであり、層間接着層７３の積層方法や内容物等の条件を加味して適宜決定される。
【００５０】
ブランク板１００を折曲して紙容器１を形成する際に、対向する内面接着層７４同士、対向する外面接着層６１同士、対向する内面接着層７４と外面接着層６１がそれぞれ熱接着される。
【００５１】
以下に紙容器１の形成方法を具体的に説明する。まず、ロール状に巻き取られた紙基材層６２を引出し、紙基材層６２の両面にアンカーコート剤が印刷される。次に、ＥＣ（Extrusion Coating）法により紙基材層６２の外面に外面接着層６１が積層される。次に、外面接着層６１を積層した紙基材層６２と、中間層７２のバリア層７２ｂとがＥＣ法によって層間接着層６３を介して貼り合わせられる。
【００５２】
次に、所定の傷痕群の切刃を備えた傷痕群形成ロールを用いて中間層７２のバリア基材層７２ａの表面から傷加工を施して傷Ｄを刻設して傷痕群領域Ｅを所定位置に形成する。
【００５３】
次に、中間層７２のバリア基材層７２ａの内面にアンカーコート剤が印刷され、ＥＣ法により中間層７２と内面接着層７４とが層間接着層７３を介して貼り合わせられる。次に、外面接着層６１の外面にコロナ処理が施され、グラビア印刷またはオフセット印刷によって商品名等の図柄を描く印刷層６８が形成される。これにより、ブランク板１００を構成する積層体が形成される。
【００５４】
次に、打抜き加工によってブランク板１００が打ち抜かれる。この時、挿通孔３３ａが形成されるとともに、押罫による折り線９０が形成される。次に、ブランク板１００の糊代片１５、２５、３５のスカイブヘミング加工が施される。
【００５５】
次に、ブランク板１００が背面板１１、底面板２１及び天井背面板３１の内面と糊代片１５、２５、３５の内面とをフレームシールして上下面を開いた筒状体に形成される。上下面が開いた筒状体はカートン組立装置等を搭載した充填密封装置に設置される。充填密封装置により底面板２１〜２４を折り畳んで底面部２０が形成され、胴部１０の下面が塞がれる。次に、注出部材３が挿通孔３３ａに挿通されてブランク板１００の内面に熱接着により固着される。次に、上面から胴部１０内に内容物が充填される。
【００５６】
次に、傾斜屋根部３０の天井側面板３２及び天井側面板３４がそれぞれ側面板１２及び側面板１４に対して折曲され、上端部を二つ折りされる。天井側面板３２及び天井側面板３４の上端部の外面接着層６１上には所定領域に剥離剤６９が塗布される。対向する天井側面板３２及び天井側面板３４の外面接着層６１同士を一部に剥離剤６９を挟んで熱接着し、熱接着部３６、３７が形成される。剥離剤６９はシリコーン樹脂、セルロース系樹脂、ウレタン樹脂、アクリル樹脂、硝化綿等から選択される一または複数の樹脂から成り、外面接着層６１の熱接着の接着強度を低下させる。
【００５７】
この時、天井側面板３２及び天井側面板３４の上端部と、天井前面板３３の上端部とが対向する内面接着層７４同士で熱接着され、熱接着部３９、４０が形成される。同様に、天井側面板３２及び天井側面板３４の上端部と、天井背面板３１の上端部とが対向する内面接着層７４同士を熱接着され、熱接着部４１、４２が形成される。天井側面板３４の一端と糊代片３５とは対向する内面接着層７４同士を熱接着される。また、突出部３３ｂと突出部３１ｂとが対向する内面接着層７４同士を熱接着され、熱接着部３８が形成される。これにより、傾斜屋根部３０が形成され、胴部１０の天面が塞がれて図１に示す紙容器１が得られる。
【００５８】
紙容器１は内容物を全て注出された後に解体される。紙容器１の解体作業は第１剥離工程、第２剥離工程の順に行われる。
【００５９】
第１剥離工程では図１の矢印Ａ１に示すように、天井側面板３４の上方に挿入した手指によって天井前面板３３と天井背面板３１とを離れる方向に力を加える。これにより、天井前面板３３と天井背面板３１との熱接着部３８（図３参照）の左半分が引き剥がされ、天井側面板３４の熱接着部３７（図４参照）が引き剥がされる。
【００６０】
同様に、図２の矢印Ａ２に示すように、天井側面板３２の上方に挿入した手指によって天井前面板３３と天井背面板３１とを離れる方向に力を加える。これにより、天井前面板３３と天井背面板３１との熱接着部３８（図３参照）の残りの右半分が引き剥がされ、天井側面板３２の熱接着部３６（図４参照）が引き剥がされる。図８は第１剥離工程後の紙容器１の上部の斜視図を示しており、第１剥離工程により傾斜屋根部３０の上端がＸ字状になる。
【００６１】
この時、熱接着部３６及び熱接着部３７内の所定領域には剥離剤６９（図５参照）が配されるため、熱接着部３６及び熱接着部３７を容易に引き剥がすことができる。また、熱接着部３８には傷痕群領域Ｅが形成されており、熱接着部３８を容易に引き剥がすことができる。
【００６２】
次に、第２剥離工程では対向する天井前面板３３及び天井側面板３４が片手で摘持され、対向する天井背面板３１及び天井側面板３２が残る片手で摘持される。そして、図７の矢印Ａ３に示すように、両手が離れる方向に引かれる。これにより、天井背面板３１と天井側面板３４とが離れる方向に力が加えられ、天井背面板３１と天井側面板３４との熱接着部４２（図４参照）が引き剥がされる。また、天井前面板３３と天井側面板３２とが離れる方向に力が加えられ、天井前面板３３と天井側面板３２との熱接着部３９（図４参照）が引き剥がされる。
【００６３】
この時、熱接着部４２及び熱接着部３９の上端部には傷痕群領域Ｅが形成されており、熱接着部４２及び熱接着部３９を容易に引き剥がすことができる。
【００６４】
同様に、対向する天井前面板３３及び天井側面板３２が片手で摘持され、対向する天井背面板３１及び天井側面板３４が残る片手で摘持される。そして、図８の矢印Ａ４に示すように、両手が離れる方向に引かれる。これにより、天井前面板３３と天井側面板３４とが離れる方向に力が加えられ、天井前面板３３と天井側面板３４との熱接着部４０（図４参照）が引き剥がされる。また、天井背面板３１と天井側面板３２とが離れる方向に力が加えられ、天井背面板３１と天井側面板３２との熱接着部４１（図４参照）が引き剥がされる。
【００６５】
この時、熱接着部４０及び熱接着部４１の上端部には傷痕群領域Ｅが形成されており、熱接着部４０及び熱接着部４１を容易に引き剥がすことができる。
【００６６】
図９は第２剥離工程後の紙容器１の斜視図を示しており、第２剥離工程により傾斜屋根部３０の上面が開口する。
【００６７】
次に、縦切断工程では図９に示すように、開口した傾斜屋根部３０の上端からハサミやカッターナイフ等の切断部材Ｓを入れ、切断線５１に沿って胴部１０の下端部まで上下方向に切断する。次に、横切断工程では、切断部材Ｓにより切断線５２に沿って胴部１０の下端部を周方向に切断する。これにより、胴部１０から底面部２０が切り離され、図１０に示すように紙容器１が切り開かれる。尚、縦切断工程及び横切断工程において、手指により折り線９０上でブランク板１００を破って紙容器１を切り開いてもよい。
【００６８】
次に、注出部材除去工程では切断部材Ｓによって天井前面板３３の左右端及び下端の境界（折り線９０）が切断される。これにより、胴部１０から天井前面板３３及び注出部材３が切り離される。天井前面板３３上の注出部材３の周囲を切断して注出部材３を切り離してもよい。また、手指により折り線９０上でブランク板１００を破って天井前面板３３を切り離してもよい。
【００６９】
本実施形態によると、天井前面板３３及び天井背面板３１の上端部には内面接着層７４を互いに熱接着した熱接着部３８（第２接着部）が設けられる。天井側面板３２、３４及び天井前面板３３の上端部には内面接着層７４を互いに熱接着した熱接着部３９、４０（第３接着部）が設けられる。天井側面板３２、３４及び天井背面板３１の上端部には内面接着層７４を互いに熱接着した熱接着部４１、４２（第４接着部）が設けられる。
【００７０】
熱接着部３８が引き剥がして紙容器１を解体する際に、熱接着部３８には傷痕群領域Ｅが形成されており、熱接着部３８を容易に引き剥がすことができる。
【００７１】
また、熱接着部４２及び熱接着部３９の上端部及び熱接着部４０及び熱接着部４１の上端部には傷痕群領域Ｅが形成されており、熱接着部３９〜４２を容易に引き剥がして傾斜屋根部３０の上面を容易に開口することができる。
【００７２】
また、熱接着部３６、３７の外面接着層６１上の所定領域には外面接着層６１の接着強度を低下させる剥離剤６９が設けられ、熱接着部３６、３７を容易に引き剥がすことができる。
【００７３】
なお、上記実施形態では熱接着部３８〜４２に傷痕群領域Ｅを設けたが、熱接着部３８のみに傷痕群領域Ｅを設けてもよい。これにより、第１剥離工程を容易に行うことができる。
【００７４】
表１は第１実施形態の紙容器１の第２剥離工程時に必要な引張力を引張試験により調べた結果を示している。表２は第１実施形態の紙容器１の第１剥離工程時及び第２剥離工程時の開け易さを５名の試験者により官能試験を行った結果を示している。
【００７５】
【表１】
2017202871.tif 000003
【００７６】
【表２】
2017202871.tif 000004
【００７７】
表１、表２において、試験片１は第１実施形態の紙容器１により形成し、前面板３３及び背面板３１の幅を８５ｍｍとした。また、試験片１はブランク板１００の上端面１００ａから幅５ｍｍの傷痕群領域Ｅを設け、ブランク板１００の上端面１００ａから幅１ｃｍの頂部接着部Ｈを形成して傾斜屋根部の上端を閉塞した。比較例の試験片は本実施形態に対し、傷痕群領域Ｅを省いている。また、本実施形態及び比較例の試験片は同一の装置により組立を行った。
【００７８】
また、引張試験の引張速度は３００ｍｍである。官能試験は開けやすい場合を「○」、開けにくい場合を「×」、どちらともいえない場合を「△」で表わしている。
【００７９】
表１によると、傷痕群領域Ｅを設けることにより、傷痕群領域Ｅを設けない場合に比して第１、第２剥離工程時に小さい引張力で熱接着部３９〜４２を引き剥がすことができる。
【００８０】
表２によると、熱接着部３８〜４２に傷痕群領域Ｅを設けることにより、第１剥離工程及び第２剥離工程において開け易くすることができる。
【００８１】
＜第２実施形態＞
図１１は第２実施形態の紙容器１のブランク板１００の展開図を示している。本実施形態は第１実施形態に対し、天井背面板３１及び天井前面板３３に開封開始部３１ｃ、３３ｃ及び面取り３１ｆ、３３ｆが設けられる。その他の部分は第１実施形態と同様である。
【００８２】
開封開始部３１ｃ、３３ｃは天井背面板３１の突出部３１ｂの両側端及び天井前面板３３の突出部３３ｂの両側端に設けられる。開封開始部３１ｃ、３３ｃは水平方向にブランク板１００を切断した切り込み（Ｉノッチ）により形成される。ブランク板１００をＶ字状に切断した切り欠き（Ｖノッチ）により開封開始部３１ｃ、３３ｃを形成してもよい。
【００８３】
開封開始部３１ｃ、３３ｃは天井側面板３２、３４の上端面３２ｄ、３４ｄと、突出部３１ｂ及び突出部３３ｂとの交点Ｐから上方に３ｍｍ以内の範囲に一または複数形成される。開封開始部３１ｃ、３３ｃを交点Ｐ上に設けるとより望ましい。また、開封開始部３１ｃ、３３ｃの水平方向の長さは５ｍｍ以下に形成される。これにより、紙容器１の美観低下を防止することができる。
【００８４】
天井背面板３１の突出部３１ｂ及び天井前面板３３の突出部３３ｂの両側端の上端部には面取り３１ｆ、３３ｆが設けられる。同様に糊代片３５の一側端の上端部には面取り３５ｆが設けられる。面取り３１ｆ、３３ｆ、３５ｆにより突出部３１ｂ、３３ｂの熱接着部３８の接着面積が小さくなり、熱接着部３８の両側端部を容易に引き剥がすことができる。面取り３１ｆ、３３ｆ、３５ｆは直線状に形成してもよく、曲線状に形成してもよい。
【００８５】
面取り３１ｆ、３３ｆ、３５ｆの下端は天井側面板３２、３４の上端面３２ｄ、３４ｄと、突出部３１ｂ及び突出部３３ｂとの交点Ｐから上方に２ｍｍ以下の範囲に形成される。これにより、熱接着部３８の両側端部の接着面積を確実に小さくできる。面取り３１ｆ、３３ｆ、３５ｆの下端を交点Ｐ上に設けるとより望ましい。
【００８６】
面取り３１ｆ、３３ｆ、３５ｆの水平方向の長さＬ１は、３ｍｍ以上で天井背面板３１及び天井前面板３３の横幅の１／２以下に形成される。これにより、熱接着部３８の両側端部の接着面積を確実に小さくできる。長さＬ１を５ｍｍ〜２０ｍｍに形成するとより望ましい。
【００８７】
上記構成の紙容器１を解体する第１剥離工程において、熱接着部３８の側端部は天井側面板３２、３４と開封開始部３１ｃ、３３ｃとの間隔が小さいため下方から開封開始部３１ｃ、３３ｃまで容易に引き剥がすことができる。そして、開封開始部３１ｃ、３３ｃから突出部３１ｂ及び突出部３３ｂの内面接着層７４及びバリア基材層７２ａが切り裂かれながら、突出部３１ｂと突出部３３ｂとが離れる。
【００８８】
この時、面取り３１ｆ、３３ｆ、３５ｆが設けられるため熱接着部３８の両側端部の接着面積が小さく、突出部３１ｂと突出部３３ｂとを容易に引き離すことができる。これにより、突出部３１ｂ及び突出部３３ｂの一方の紙基材層６２の一部は積層方向に分離して他方と一体に剥がされる。このため、熱接着部３８を容易に引き剥がすことができる。
【００８９】
本実施形態によると、第１実施形態と同様の効果を得ることができる。また、突出部３１ｂ、３３ｂの両側端部にブランク板１００の切り込みまたは切り欠きから成る開封開始部３１ｃ、３３ｃを設けたので、第１剥離工程で熱接着部３８（第２接着部）をより容易に引き剥がすことができる。
【００９０】
また、開封開始部３１ｃ、３３ｃを交点Ｐから上方に３ｍｍの範囲に設けたので、下方から開封開始部３１ｃ、３３ｃまでを容易に引き剥がすことができる。また、開封開始部３１ｃ、３３ｃの水平方向の長さを５ｍｍ以下にしたので、紙容器１の美観の低下を防止することができる。
【００９１】
尚、開封開始部３１ｃ、３３ｃはブランク板１００を切断した切り込み（Ｉノッチ）または切り欠き（Ｖノッチ）によって容易に形成することができる。この時、開封開始部３１ｃ、３３ｃは少なくとも内面接着層７４及びバリア基材層７２ａを貫通していればよい。これにより、内装部７０を切り裂いて紙基材層６２が積層方向に分離することで、熱接着部３８をより容易に引き剥がすことができる。
【００９２】
また、開封開始部３１ｃ及び開封開始部３３ｃのいずれかを省いてもよい。また、突出部３１ｂの一側端の開封開始部３１ｃを省き、突出部３３ｂの他側端の開封開始部３３ｃを省いてもよい。即ち、開封開始部は一対の突出部３１ｂ及び突出部３３ｂの一方または両方の一側端に設けられ、突出部３１ｂ及び突出部３３ｂの一方または両方の他側端に設けられていればよい。
【００９３】
また、突出部３１ｂ、３３ｂの両側端部に面取り３１ｆ、３３ｆを設けたので、熱接着部３８の両側端部の接着面積を小さくして熱接着部３８の両側端部をより容易に引き剥がすことができる。
【００９４】
また、面取り３１ｆ、３３ｆの下端を交点Ｐから上方に２ｍｍ以下の範囲に形成したので、熱接着部３８の両側端部の接着面積を確実に小さくできる。また、面取り３１ｆ、３３ｆ、３５ｆの水平方向の長さＬ１を３ｍｍ以上で天井背面板３１及び天井前面板３３の横幅の１／２以下に形成したので、熱接着部３８の両側端部の接着面積を確実に小さくできる。
【００９５】
尚、面取り３１ｆ及び面取り３３ｆのいずれかを省いてもよい。また、突出部３１ｂの一側端の面取り３１ｆを省き、突出部３３ｂの他側端の面取り３３ｆを省いてもよい。即ち、面取りは一対の突出部３１ｂ及び突出部３３ｂの一方または両方の一側端に設けられ、突出部３１ｂ及び突出部３３ｂの一方または両方の他側端に設けられていればよい。しかしながら、本実施形態に示すように、突出部３１ｂの両側端、突出部３３ｂの両側端及び糊代片３５にそれぞれ面取り３１ｆ、３３ｆ、３５ｆを設けるとより望ましい。これにより、面取り部分が互いに対向して紙容器１の美観低下を防止することができる。
【００９６】
本実施形態において、開封開始部３１ｃ、３３ｃを省いてもよい。また、本実施形態において、面取り３１ｆ、３３ｆ、３５ｆを省いてもよい。
【００９７】
＜第３実施形態＞
次に、図１２は第３実施形態の紙容器１のブランク板１００の展開図を示している。本実施形態は第１実施形態に対し、天井側面板３２、３４の上端面３２ｄ、３４ｄの形状が異なる。また、第２実施形態と同様の開封開始部３１ｃ、３３ｃが設けられる。その他の部分は第１実施形態と同様である。
【００９８】
天井側面板３２の上端面３２ｄは両側端から中央に向かって直線状に傾斜した一対の傾斜部３２ｅを有し、両側端を最上点とした凹面に形成される。天井側面板３４の上端面３４ｄは両側端から中央に向かって直線状に傾斜した一対の傾斜部３４ｅを有し、両側端を最上点とした凹面に形成される。
【００９９】
傷痕群領域Ｅの下端は傾斜部３２ｅ、３４ｅの下端上に位置している。また、傾斜部３２ｅ、３４ｅの下端から熱接着部３６、３７の下端の折り線９０までの距離Ｆは５ｍｍ以上に形成される。これにより、内容物の漏れを防止することができる。
【０１００】
天井前面板３３及び天井背面板３１の上端部の突出部３３ｂ、３１ｂは天井側面板３２、３４の上端面３２ｄ、３４ｄの最上点よりも上方に突出する。傾斜部３２ｅ、３４ｅを曲線状に形成してもよい。また、一対の傾斜部３２ｅの間に水平部分を設けてもよく、一対の傾斜部３４ｅの間に水平部分を設けてもよい。
【０１０１】
紙容器１を組み立てる際に第１実施形態と同じ装置を用いると、熱接着部３８は第１実施形態と同じ領域を加圧して熱接着される。このため、熱接着部３８と天井側面板３２、３４の上端面３２ｄ、３４ｄとの間には天井前面板３３と天井背面板３１とが非接着の非接着部３３ｄ、３１ｄが形成される。その結果、接着部３９〜４２の接着面積が狭くなる。また、天井側面板３２、３４の熱接着部３６、３７の接着面積が狭くなる。
【０１０２】
また、突出部３１ｂ及び突出部３３ｂの両側端に設けられる開封開始部３１ｃ、３３ｃは非接着部３１ｄ、３３ｄ上に配される。
【０１０３】
上記構成の紙容器１を解体する第１剥離工程において、天井側面板３２、３４の上端面３２ｄ、３４ｄが凹面のため熱接着部３６、３７の接着面積が小さい。このため、熱接着部３６、３７を容易に引き剥がすことができる。
【０１０４】
更に、開封開始部３１ｃ、３３ｃから突出部３３ｂ及び突出部３１ｂの内面接着層７４及びバリア基材層７２ａが切り裂かれながら、突出部３３ｂと突出部３１ｂとが離れる。このため、熱接着部３８を容易に引き剥がすことができる。
【０１０５】
また、第２剥離工程において、熱接着部３９〜４２が傷痕群領域Ｅにより開封強度が低下しており、熱接着部３９〜４２の熱接着部の接着面積が狭いため、より容易に引き剥がすことができる。
【産業上の利用可能性】
【０１０６】
本発明によると、注出部材を備えたゲーベルトップ型の紙容器に利用することができる。
【符号の説明】
【０１０７】
１      紙容器
２      本体部
３      注出部材
１０      胴部
１１      背面板
１２、１４  側面板
１３      前面板
１５、２５、３５  糊代片
２０      底面部
２１〜２４  底面板
３０      傾斜屋根部
３１      天井背面板
３１ｂ、３３ｂ  突出部
３１ｃ、３３ｃ  開封開始部
３１ｄ、３３ｄ  非接着部
３２、３４  天井側面板
３２ｃ、３４ｃ  開封補助部
３２ｄ、３４ｄ  上端面
３３      天井前面板
３３ａ    挿通孔
３６、３７  熱接着部（第１接着部）
３８      熱接着部（第２接着部）
３９、４０  熱接着部（第３接着部）
４１、４２  熱接着部（第４接着部）
５１、５２  切断線
６１      外面接着層
６２      紙基材層
６３      層間接着層
６８      印刷層
７２      中間層
７２ａ    バリア基材層
７２ｂ    バリア層
７３      層間接着層
７４      内面接着層
９０      折り線
１００      ブランク板
Ｈ      頂部接着部
Ｅ      傷痕群領域
Ｓ      切断部材
【図１】
2017202871.tif 000005
【図２】
2017202871.tif 000006
【図３】
2017202871.tif 000007
【図４】
2017202871.tif 000008
【図５】
2017202871.tif 000009
【図６】
2017202871.tif 000010
【図７】
2017202871.tif 000011
【図８】
2017202871.tif 000012
【図９】
2017202871.tif 000013
【図１０】
2017202871.tif 000014
【図１１】
2017202871.tif 000015
【図１２】
2017202871.tif 000016